(57)【要約】【課題】  本発明は、作業の難易により、重量の大きい電池パックを、充電式電動工具から分離して携行袋に収納又は作業現場に載置して使用できるようにし、女性や老齢者の作業負担を大巾に軽減できるようにした電気接続装置を提供するものである。【解決手段】  充電式電動工具３０の電池パック４０の電極凸部４１を着脱可能に挿入するための凹部３００内の電極片３１に当接する当接片１０と、各当接片１０と電気接続する電線コード５０とを設けた電動工具用アタッチメントＡ１と、電池パック４０の凸部４１の電極片４１１に当接する当接片２０と、各当接片２０と電気接続する電線コード５０とを設けた電池パック用アタッチメントＢ１とを備えたもの。【選択図】    図４
2009039841.tif 000002
【特許請求の範囲】
【請求項１】
電池パック４０の凸部４１を着脱可能に挿入する充電式電動工具３０の底面の凹部３００内の１対の電極片３１にそれぞれ当接される１対の当接片１０と、各当接片１０と電気接続する電線コード５０であって外部に延長されるものとを設けて、充電式電動工具３０の凹部３００に着脱可能に嵌入できるようにした電動工具用アタッチメントＡ１と、電池パック４０の凸部４１の１対の電極片４１１にそれぞれ当接される１対の当接片２０と、各当接片２０と電気接続する電線コード５０であって外部に延長されるものとを設けて、凸部４１に着脱可能に外嵌できるようにした電池パック用アタッチメントＢ１とを備え、充電式電動工具３０を作動させるとき、電池パック４０を充電式電動工具３０に装着することなく、作業現場に載置又は携行袋７０に収納できるようにした電池パック４０の凸部４１に外嵌したアタッチメントＢ１から電線コード５０とアタッチメントＡ１を介して充電式電動工具３０の凹部３００に嵌入し、充電式電動工具３０を作動できるようにしたことを特徴とする電気接続装置。
【発明の詳細な説明】
【技術分野】
【０００１】
本発明は、電池パック４０を着脱可能に装着した充電式電動工具に使用される電気接続装置に関する。
【背景技術】
【０００２】
上記充電式電動工具は、２４ボルト、１８ボルト等のニカド電池、ニッケル水素電池等を着脱可能に装着してコードレスで、穴あけ、ねじ締め、切断その他の諸作業ができる利点があるが、反面、強力な電池を搭載するので重量が重く、特に工事用工具では女性や老齢者の作業負担が大きい欠点があった。
そこで、本発明者は、電池重量が大きく、腕力負担が大きいにも拘わらず精密作業や天井作業や狭隘場合などの作業が必要な場合には、一時的に電池パックを電動工具より分離して電池パックのみを工事現場附近に載置又は携行袋に収納した電池パックから電動工具本体に電気接続して諸作業ができるようにし、上記問題点を解決することに成功した。
【特許文献１】特開２００６−３５１４７６号
【発明の開示】
【発明が解決しようとする課題】
【０００３】
本発明は、重量の大きい電池パックを充電式電動工具から分離して使用できるようにした電気接続装置を提供するものである。
また、本発明は、女性や老齢者が充電式電動工具を使用する作業の負担を大巾に軽減できるようにした電気接続装置を提供するものである。
さらに、本発明は、小型軽量で製作費安く簡単に使用できるようにした電気接続装置を提供するものである。
【課題を解決するための手段】
【０００４】
本発明電気接続装置は、本発明の請求項１の発明は、上記課題を達成するため、図示するように、電池パック４０の凸部４１を着脱可能に挿入する充電式電動工具３０の底面の凹部３００内の１対の電極片３１にそれぞれ当接される１対の当接片１０と、各当接片１０と電気接続する電線コード５０であって外部に延長されるものとを設けて、充電式電動工具３０の凹部３００に着脱可能に嵌入できるようにした電動工具用アタッチメントＡ１と、電池パック４０の凸部４１の１対の電極片４１１にそれぞれ当接される１対の当接片２０と、各当接片２０と電気接続する電線コード５０であって外部に延長されるものとを設けて、凸部４１に着脱可能に外嵌できるようにした電池パック用アタッチメントＢ１とを備え、充電式電動工具３０を作動させるとき、電池パック４０を充電式電動工具３０に装着することなく、作業現場に載置又は携行袋７０に収納できるようにした電池パック４０の凸部４１に外嵌したアタッチメントＢ１から電線コード５０とアタッチメントＡ１を介して充電式電動工具３０の凹部３００に嵌入し、充電式電動工具３０を作動できるようにした電気接続装置である。
【発明の効果】
【０００５】
本発明品は、充電式電動工具から電池パックを分離して電池パックを作業現場に載置又は腰バンドや肩かけした携行袋に収納して携行できるようにして、電池パックと電動工具とを軽い配線で連結するだけで、電動工具を使用できるので、特に精密作業、狭隘場合での作業、天井作業などの場合に操作しやすい上に、女性作業員や老齢作業員の作業負担を大きく軽減できる強味がある。また、本発明品は取扱簡単で、軽量、小型、安価につく利点がある。
【発明を実施するための最良の形態】
【０００６】
本発明実施例１に発明を実施するための最良の形態を記載した。
【実施例】
【０００７】
本発明装置の実施例が、図１−１乃至図４に示されている。
本発明実施例１の電気接続装置は、電動工具用アタッチメントＡ１と電池パック用アタッチメントＢ１とからなっている。
電動工具用アタッチメントＡ１は、充電式電動工具３０の底面の凹部３００に着脱可能に嵌入するもので、凹部３００内の１対の電極片３１にそれぞれ当接する１対の当接片１０と、各当接片１０と電気接続する電線コード５０であって外部に延長されるものとが設けられている。
アタッチメントＡ１の本体Ａ１１は電気絶縁物であるゴム、合成樹脂からなり、やや弾性があり押圧嵌入されるものが好ましい。
電池パック用アタッチメントＢ１は、電池パック４０の凸部４１の１対の電極片４１１にそれぞれ当接される１対の当接片６０と、各当接片６０と電気接続する電線コード５０であって外部に延長されるものとが設けられている。
アタッチメントＢ１の本体Ｂ１１は電気絶縁物であるゴム、合成樹脂からなり、やや弾性があり押圧外嵌されるものが好ましい。
なお、電源コード５０はアタッチメントＡ１に結線されると共に、アタッチメントＢ１に結線されるものである。
携行袋７０は、ベルト８０のベルト通し部７１と電池パック４０の収納部７２を備え、収納部７２は電池パック４０を収納してスナップ７２２で開閉する開閉片７２１と、収納した電池パック４０の凸部４１に外嵌できるようにしたアタッチメントＢ１の電線コード５０を開閉片７２１を横切って引き出せるようにしたファスナー７２３を設けている。
従って、アタッチメントＡ１とアタッチメントＢ１とにそれぞれ結合されている電線コード５０は、電動工具３０を使用しないときは、電動工具３０の凹部３００と電池パック４０の凸部４１からはずされて携行袋７０に収納するか、又は、アタッチメントＢ１を電池パックの凸部４１に挿入したまま、アタッチメントＡ１には、これに外嵌するポリエチレン袋キャップを挿入して携行袋７０に収納される。
電動工具３０を使用するときは、現場近くの置場に電池パック４０を載置するか、携行袋７０に収納したまま、電池パック４０の凸部４１にアタッチメントＢ１を連結し、携行袋７０のコード口７２３０から電源コード５０を介してアタッチメントＡ１を電動工具３０の凹部３００に嵌入して使用すれば、電動工具３０は電池パック４０を分離したまま作動できることになる。
【産業上の利用可能性】
【０００８】
本発明品は、小型、軽量、安価で量産できる。
【図面の簡単な説明】
【０００９】
【図１−１】本発明実施例のアタッチメントＡ１の説明図である。
【図１−２】図１−１のＸ−Ｘ線断面図である。
【図２−１】本発明実施例のアタッチメントＢ１の説明図である。
【図２−２】図２−１のＹ−Ｙ線断面図である。
【図３】本発明実施例の携行袋の説明図である。
【図４】本発明品の使用状態説明図である。
【符号の説明】
【００１０】
Ａ１          電動工具用アタッチメント
１０          電動工具用アタッチメントの当接片
Ｂ１          電池パック用アタッチメント
２０          電池パック用アタッチメントの当接片
５０          電線コード
７０          携行袋
３０          充電式電動工具
３００        充電式電動工具の底面の凹部
３１          充電式電動工具の底面の凹部の電極片
４０          電池パック
４１          電池パックの凸部
４１１        電池パックの凸部の電極片
【図１−１】
2009039841.tif 000003
【図１−２】
2009039841.tif 000004
【図２−１】
2009039841.tif 000005
【図２−２】
2009039841.tif 000006
【図３】
2009039841.tif 000007
【図４】
2009039841.tif 000008
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
電池パック４０の電極凸部４１を着脱可能に装着する充電式電動工具３０の底面の凹部３００内の１対の電極片３１にそれぞれ当接する１対の当接片１０と、各当接片１０と電気接続する電線コード５０であって外部に延長するものとを設けて、充電式電動工具３０の凹部３００に着脱可能に嵌入できるようにした電動工具用アタッチメントＡ１と、電池パック４０の電極凸部４１の１対の電極片４１１にそれぞれ当接する１対の当接片２０と、各当接片２０と電気接続する電線コード５０であって外部に延長するものとを設けて、電池パック４０の電極凸部４１に着脱可能に外嵌できるようにした電池パック用アタッチメントＢ１とを備え、充電式電動工具３０を作動させるとき、電池パック４０を充電式電動工具３０に装着することなく、携行袋７０に収納、又は、作業現場に載置できるようにした電池パック４０の電極凸部４１に外嵌したアタッチメントＢ１から電線コード５０を介してアタッチメントＡ１を充電式電動工具３０の凹部３００に嵌入し、充電式電動工具３０を作動できるようにしたことを特徴とする充電式電動工具の電気接続装置。
【手続補正２】
【補正対象書類名】明細書
【補正対象項目名】全文
【補正方法】変更
【補正の内容】
【発明の詳細な説明】
【技術分野】
【０００１】
本発明は、電池パックを着脱可能に装着した充電式電動工具に使用される充電式電動工具の電気接続装置に関する。
【背景技術】
【０００２】
従来、充電式電動工具は、３６ボルト、２８．８ボルト、２５．２ボルト、２４ボルト、１８ボルト等のリチウム電池、ニカド電池、ニッケル水素電池等の電池パックを着脱可能に装着してコードレスで、穴あけ、ねじ締め、切断その他の諸作業ができる利点があるが、反面、強力な電池を搭載するので、重量が重く、特に工事用工具では女性や老齢者の作業負担が大きい欠点があった。
そこで、本発明者は、電池重量が大きく、腕力負担が大きいにも拘わらず、精密作業や天井作業や狭隘場所などの作業などが必要な場合には、一時的に電池パックを電動工具より分離して電池パックのみを携行袋に収納、又は、作業現場に載置して電池パックからコードを介して軽量になった電動工具により諸作業ができるようにし、上記問題点を解決することに成功した。
【特許文献１】特開２００６−３５１４７６号
【発明の開示】
【発明が解決しようとする課題】
【０００３】
本発明は、重量の大きい電池パックを充電式電動工具本体から分離して使用できるようにした充電式電動工具の電気接続装置を提供するものである。
また、本発明は、女性や老齢者が充電式電動工具を使用する作業の体力的負担を大巾に軽減できるようにした充電式電動工具の電気接続装置を提供するものである。
さらに、本発明は、小型軽量で製作費安く簡単に使用できるようにした充電式電動工具の電気接続装置を提供するものである。
【課題を解決するための手段】
【０００４】
本発明充電式電動工具の電気接続装置の請求項１の発明は、上記課題を達成するため、図示するように、電池パック４０の電極凸部４１を着脱可能に装着する充電式電動工具３０の底面の凹部３００内の１対の電極片３１にそれぞれ当接する１対の当接片１０と、各当接片１０と電気接続する電線コード５０であって外部に延長するものとを設けて、充電式電動工具３０の凹部３００に着脱可能に嵌入できるようにした電動工具用アタッチメントＡ１と、電池パック４０の電極凸部４１の１対の電極片４１１にそれぞれ当接する１対の当接片２０と、各当接片２０と電気接続する電線コード５０であって外部に延長するものとを設けて、電池パック４０の電極凸部４１に着脱可能に外嵌できるようにした電池パック用アタッチメントＢ１とを備え、充電式電動工具３０を作動させるとき、電池パック４０を充電式電動工具３０に装着することなく、携行袋７０に収納、又は、作業現場に載置できるようにした電池パック４０の電極凸部４１に外嵌したアタッチメントＢ１から電線コード５０を介してアタッチメントＡ１を充電式電動工具３０の凹部３００に嵌入し、充電式電動工具３０を作動できるようにした充電式電動工具の電気接続装置である。
【発明の効果】
【０００５】
本発明品は、充電式電動工具から電池パックを分離して電池パックを、腰バンドや肩かけできるようにした携行袋に収納又は作業現場に載置して、電池パックと電動工具とを軽い１対のアタッチメントと配線で連結するだけで、軽い重量の電動工具として使用できるので、特に精密作業、天井工事、狭隘場所での作業などの場合に操作しやすい上に、女性作業員や老齢作業員の作業負担を大きく軽減できる強味がある。また、本発明品は取扱簡単で、軽量、小型、安価につく利点がある。
【発明を実施するための最良の形態】
【０００６】
本発明実施例に発明を実施するための最良の形態を記載した。
【実施例】
【０００７】
本発明装置の実施例が、図１−１乃至図４に示されている。
本発明実施例の充電式電動工具の電気接続装置は、電動工具用アタッチメントＡ１と電池パック用アタッチメントＢ１とからなっている。
電動工具用アタッチメントＡ１は、充電式電動工具本体３０の底面の凹部３００に着脱可能に嵌入して装着するもので、凹部３００内の１対の電極片３１にそれぞれ当接する１対の当接片１０と、各当接片１０と電気接続する電線コード５０であって外部に延長されるものとが設けられている。
アタッチメントＡ１の本体Ａ１１は、棒状の電気絶縁物であるゴム、合成樹脂からなり、やや弾性があり押圧嵌入されるものが好ましい。
電池パック用アタッチメントＢ１は、電池パック４０の電極凸部４１の１対の電極片４１１にそれぞれ当接される１対の当接片２０と、各当接片２０と電気接続する電線コード５０であって外部に延長されるものとが設けられている。１対の当接片２０は、図２−２に示すように弾性金属板が好ましい。
アタッチメントＢ１の本体Ｂ１１は、凹状の電気絶縁物であるゴム、合成樹脂からなり、やや弾性があり押圧外嵌されるものが好ましい。
なお、電源コード５０はアタッチメントＡ１に結線されると共に、アタッチメントＢ１に結線されるものである。
携行袋７０は、ベルト８０のベルト通し部７１と電池パック４０の収納部７２を備えている。収納部７２は電池パック４０を収納してスナップ７２２で開閉する開閉片７２１と、収納した電池パック４０の電極凸部４１に外嵌できるようにしたアタッチメントＢ１の電線コード５０を開閉片７２１を横切って引き出せるようにしたファスナー７２３を設けているものが好ましい。
アタッチメントＡ１とアタッチメントＢ１とにそれぞれ結合されている電線コード５０は、電動工具３０を使用しないときは、電動工具３０の凹部３００と電池パック４０の電極凸部４１からはずされて携行袋７０に収納して携行される。
電動工具３０を使用するときは、携行袋７０に収納したまま、又は、作業現場近くに電池パック４０を載置するかして、電池パック４０の電極凸部４１にアタッチメントＢ１を連結し、携行袋７０から電源コード５０を介してアタッチメントＡ１を電動工具３０の凹部３００に嵌入すれば、電動工具３０は電池パック４０を分離したまま使用できることになる。
【産業上の利用可能性】
【０００８】
本発明品は、小型、軽量、安価で量産できる。
【図面の簡単な説明】
【０００９】
【図１−１】本発明実施例のアタッチメントＡ１の説明図である。
【図１−２】図１−１のＸ−Ｘ線断面図である。
【図２−１】本発明実施例のアタッチメントＢ１の説明図である。
【図２−２】図２−１のＹ−Ｙ線断面図である。
【図３】本発明実施例の携行袋の説明図である。
【図４】本発明実施例の使用時の説明図である。
【符号の説明】
【００１０】
Ａ１          電動工具用アタッチメント
１０          電動工具用アタッチメントの当接片
Ｂ１          電池パック用アタッチメント
２０          電池パック用アタッチメントの当接片
５０          電線コード 
３０          充電式電動工具
７０          携行袋
３００        充電式電動工具の底面の凹部
３１          充電式電動工具の底面の凹部の電極片
４０          電池パック
４１          電池パックの電極凸部
４１１        電池パックの電極凸部の電極片
【手続補正３】
【補正対象書類名】図面
【補正対象項目名】図４
【補正方法】変更
【補正の内容】
【図４】
2009039841.tif 000009